(57)【要約】【課題】４−ヒドロキシ−６−メチル−３−（４−メチルペンタノイル）−２−ピロンを消臭有効成分とする場合に、十分な消臭効果が発揮できる消臭方法及びその消臭方法に用いる消臭組成物を提供すること。【解決手段】４−ヒドロキシ−６−メチル−３−（４−メチルペンタノイル）−２−ピロンとマンニトール、ソルビトール、又はキシリトール等のある種の糖アルコールとの混合物を加熱することを特徴とする消臭方法、及び４−ヒドロキシ−６−メチル−３−（４−メチルペンタノイル）−２−ピロンと、マンニトール、ソルビトール、又はキシリトール等のある種の糖アルコールとが混合されてなる消臭組成物。【選択図】  なし【特許請求の範囲】
【請求項１】
式（１）
2005103239.tif 000005
で示される４−ヒドロキシ−６−メチル−３−（４−メチルペンタノイル）−２−ピロンと融点９０℃以上の糖アルコールとの混合物を加熱することを特徴とする消臭方法。
【請求項２】
４−ヒドロキシ−６−メチル−３−（４−メチルペンタノイル）−２−ピロンと、マンニトール、ソルビトール、又はキシリトールとの混合物を加熱することを特徴とすることを特徴とする消臭方法。
【請求項３】
加熱温度が１５０〜３００℃である請求項１又は請求項２記載の消臭方法。
【請求項４】
４−ヒドロキシ−６−メチル−３−（４−メチルペンタノイル）−２−ピロンと糖アルコールとの重量比が１：１００〜１：３である請求項１〜請求項３いずれか１項記載の消臭方法。
【請求項５】
４−ヒドロキシ−６−メチル−３−（４−メチルペンタノイル）−２−ピロンと融点９０℃以上の糖アルコールとが混合されてなる消臭組成物。
【請求項６】
４−ヒドロキシ−６−メチル−３−（４−メチルペンタノイル）−２−ピロンと、マンニトール、ソルビトール、又はキシリトールとが混合されてなる消臭組成物。
【請求項７】
４−ヒドロキシ−６−メチル−３−（４−メチルペンタノイル）−２−ピロンと糖アルコールとの重量比が１：１００〜１：３である請求項５又は請求項６記載の消臭組成物。
【発明の詳細な説明】
【技術分野】
【０００１】
本発明は、消臭方法及び消臭組成物に関する。
【背景技術】
【０００２】
式（１）
2005103239.tif 000002
で示される４−ヒドロキシ−６−メチル−３−（４−メチルペンタノイル）−２−ピロンを有効成分として含有する消臭組成物が知られている（特許文献１参照）。そして、特許文献１には４−ヒドロキシ−６−メチル−３−（４−メチルペンタノイル）−２−ピロンをベントナイト等の固体担体に担持した消臭組成物を悪臭の発生場所又はその周辺に、撒布又は敷き詰める方法で使用できることが記載されている。
【０００３】
一方、消臭有効成分を含有する固体状の消臭組成物を、悪臭が漂う場所で加熱蒸散させて消臭する方法が知られている（例えば、特許文献２、特許文献３参照）。
【０００４】
【特許文献１】特開２００２−２０９９９３号公報
【特許文献２】実開平２−８６５４４号公報全文明細書
【特許文献３】特開２００１−２１２２２０号公報
【発明の開示】
【発明が解決しようとする課題】
【０００５】
本発明者は、特許文献１に記載の４−ヒドロキシ−６−メチル−３−（４−メチルペンタノイル）−２−ピロンをベントナイトに担持させた消臭組成物を加熱蒸散させて消臭することを試みた。
しかしながら、特許文献１に記載の４−ヒドロキシ−６−メチル−３−（４−メチルペンタノイル）−２−ピロンをベントナイトに担持させた消臭組成物を、そのまま加熱しても消臭効果が必ずしも十分に発揮されない場合があることがわかった。
本発明は、４−ヒドロキシ−６−メチル−３−（４−メチルペンタノイル）−２−ピロンを消臭有効成分とする場合に、十分な消臭効果が発揮できる消臭方法及びその消臭方法に用いる消臭組成物を提供することを課題とする。
【課題を解決するための手段】
【０００６】
本発明者は、４−ヒドロキシ−６−メチル−３−（４−メチルペンタノイル）−２−ピロンを消臭有効成分として含有する固体状の消臭組成物を加熱し、消臭有効成分を蒸散させて消臭する方法を種々検討した。その結果、４−ヒドロキシ−６−メチル−３−（４−メチルペンタノイル）−２−ピロンとある種の糖アルコールとの混合物を加熱した場合に、消臭効果が十分に発揮されることを見出し、本発明を完成した。
【０００７】
（Ｉ）式（１）
2005103239.tif 000003
で示される４−ヒドロキシ−６−メチル−３−（４−メチルペンタノイル）−２−ピロンと融点９０℃以上の糖アルコールとの混合物を加熱することを特徴とする消臭方法。
（ＩＩ）４−ヒドロキシ−６−メチル−３−（４−メチルペンタノイル）−２−ピロンと、マンニトール、ソルビトール、又はキシリトールとの混合物を加熱することを特徴とすることを特徴とする消臭方法。
（ＩＩＩ）加熱温度が１５０〜３００℃である（Ｉ）又は（ＩＩ）記載の消臭方法。
（ＩＶ）４−ヒドロキシ−６−メチル−３−（４−メチルペンタノイル）−２−ピロンと糖アルコールとの重量比が１：１００〜１：３である（Ｉ）〜（ＩＩＩ）いずれか１項記載の消臭方法。
（Ｖ）４−ヒドロキシ−６−メチル−３−（４−メチルペンタノイル）−２−ピロンと融点９０℃以上の糖アルコールとが混合されてなる消臭組成物。
（ＶＩ）４−ヒドロキシ−６−メチル−３−（４−メチルペンタノイル）−２−ピロンと、マンニトール、ソルビトール、又はキシリトールとが混合されてなる消臭組成物。
（ＶＩＩ）４−ヒドロキシ−６−メチル−３−（４−メチルペンタノイル）−２−ピロンと糖アルコールとの重量比が１：１００〜１：３である（Ｖ）又は（ＶＩ）記載の消臭組成物。
【発明の効果】
【０００８】
本発明の消臭方法により消臭有効成分としての４−ヒドロキシ−６−メチル−３−（４−メチルペンタノイル）−２−ピロンを加熱することで、十分な消臭効果が発揮される。
【発明を実施するための最良の形態】
【０００９】
本発明の消臭組成物は、４−ヒドロキシ−６−メチル−３−（４−メチルペンタノイル）−２−ピロンとある種の糖アルコールとが混合されてなるものである。
本発明に用いられる４−ヒドロキシ−６−メチル−３−（４−メチルペンタノイル）−２−ピロンは、例えば特開２００２−２０９９９３号公報（特許文献１）に記載された化合物であり、該公報に記載された方法で製造することができる。
【００１０】
本発明において、糖アルコールとは糖のカルボニル基が還元された鎖状の多価アルコールをいう。本発明には、通常融点が９０℃以上の糖アルコールが用いられる。
本発明に用いられる糖アルコールとしては、例えば５個の炭素原子を有するペンチット、６個の炭素原子を有するヘキシットが挙げられ、具体的には例えばマンニトール、ソルビトール、及びキシリトールが挙げられる。
【００１１】
本発明の消臭組成物は、４−ヒドロキシ−６−メチル−３−（４−メチルペンタノイル）−２−ピロンとある種の糖アルコールとが混合されてなる固体状の組成物である。本発明の消臭組成物において、４−ヒドロキシ−６−メチル−３−（４−メチルペンタノイル）−２−ピロンと糖アルコールとの重量比は通常１：１００〜１：３、好ましくは１：２０〜１：５の割合である。
【００１２】
本発明の消臭組成物には、４−ヒドロキシ−６−メチル−３−（４−メチルペンタノイル）−２−ピロンと糖アルコールとの他に、本発明の目的を達する範囲内で酸化防止剤、保存剤、香料及び他の消臭剤が含有されていてもよい。
【００１３】
酸化防止剤としては、例えば２，６−ジ−ｔｅｒｔ−ブチル−４−メチルフェノール、２，６−ジ−ｔｅｒｔ−ブチル−４−メトキシフェノール、４，４'−ブチリデンビス（３−メチル−６−ｔｅｒｔ−ブチルフェノール）、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン、及び６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン等のフェノール系酸化防止剤が挙げられる。この場合の酸化防止剤の含有量は、本発明の消臭組成物全量に対して、通常０．０１〜１０重量％である。
【００１４】
保存剤としては、例えばパラヒドロキシ安息香酸メチル、パラヒドロキシ安息香酸エチル、パラヒドロキシ安息香酸プロピル、パラヒドロキシ安息香酸ブチル、パラヒドロキシ安息香酸フェニル等のパラヒドロキシ安息香酸エステルが挙げられる。この場合の保存剤の含有量は、本発明の消臭組成物全量に対して、通常０．０１〜１０重量％である。
【００１５】
香料としては、例えばペパーミント、ハッカ、ヒノキ、ヒバ、パイン、ラベンダー、パチョリ、ユーカリ、シトロネラ、ライム、タイム、ヒソップ、ローズマリー、ティツリー、マヌカ、イランイラン、クローブ、ベイ、セージ等の植物精油、サリチル酸メチル、フェノキシエタノール、リナロール、シネオール、シトロネオール、シトロネラール、オイゲノール、メントール、メントン等が挙げられる。この場合の香料の含有量は、本発明の消臭組成物全量に対して、通常０．０１〜５重量％である。
【００１６】
他の消臭剤としてはメタアクリル酸ラウリルが挙げられる。この場合の他の消臭剤の量は、本発明の消臭組成物全量に対して、通常０〜１０重量％である。
【００１７】
本発明の消臭組成物は、例えば以下の方法で製造することができる。
（１）４−ヒドロキシ−６−メチル−３−（４−メチルペンタノイル）−２−ピロン、糖アルコール、必要に応じて他の成分を混合し、得られる混合物を必要に応じて成形する方法。
（２）４−ヒドロキシ−６−メチル−３−（４−メチルペンタノイル）−２−ピロンを融解し、糖アルコールに含浸させる方法。
（３）４−ヒドロキシ−６−メチル−３−（４−メチルペンタノイル）−２−ピロン、糖アルコール、結合剤（ヒドロキシプロピルセルロース、ヒドロキシプロピルメチルセルロース、デンプン、ポリビニルアルコール等）、及び他の成分を混合し、水を加えて混練した後、造粒機で造粒、乾燥する方法。
【００１８】
本発明の消臭方法は、通常、本発明の消臭組成物を加熱することにより行われる。この場合の加熱温度は、通常、１５０〜３００℃、好ましくは１７０〜２７０℃の範囲である。
【００１９】
本発明の消臭方法において、４−ヒドロキシ−６−メチル−３−（４−メチルペンタノイル）−２−ピロンと糖アルコールとの混合物を加熱する方法としては、例えば４−ヒドロキシ−６−メチル−３−（４−メチルペンタノイル）−２−ピロンと糖アルコールとの混合物を金属（鉄、アルミニウム等）等の熱伝導性の良好な容器内に入れ、該容器を周囲から加熱する方法が挙げられる。より具体的には、図１で示されるような装置を用いて、上部に本発明の消臭組成物、下部に酸化カルシウムを入れ、底面は透水性の不織布で覆った金属製の容器４を用意する。容器２に適量の水を入れた中に、容器４を置く。これにより酸化カルシウムと水との化学反応により生じる熱により本発明の消臭組成物が加熱されて有効成分である４−ヒドロキシ−６−メチル−３−（４−メチルペンタノイル）−２−ピロンが蒸散する。
【００２０】
本発明の消臭方法で使用される本発明の消臭成物の量は、本発明の消臭方法により消臭を行おうとする空間１ｍ3当り、４−ヒドロキシ−６−メチル−３−（４−メチルペンタノイル）−２−ピロン０．０１〜２．０ｇ、好ましくは０．０２〜１．０ｇの割合である。
【００２１】
本発明の消臭方法は、例えば悪臭の発生場所又はその周辺等の悪臭が漂う場所で行われ、通常５０ｍ3以下、好ましくは１０ｍ3以下の小空間に適用される。このような小空間としては、例えば自動車内、倉庫内、温室内、及び一般家庭の室内が挙げられる。
【００２２】
４−ヒドロキシ−６−メチル−３−（４−メチルペンタノイル）−２−ピロンは、有害節足動物防除活性、抗菌活性をも有するため、本発明の消臭方法を有害生物の生息場所で行うことで有害生物の防除も達成することができ、また本発明の消臭方法をカビや細菌等の微生物の生息場所で行うことで微生物の防除も達成することもできる。
【００２３】
この場合に防除できる有害節足動物としては、例えば蚊、及びハエが挙げられる。
また、この場合に防除できる微生物としては、例えば以下のものが挙げられる。
Aspergillus niger等のAspergillus属、Chaetonium globosum等のChaetomium属、Cladosporium cladosporioides等のCladosporium属、Gliocladium virens等のGliocladium属、Aureobasidium pullulans等のAureobasidium属、Penicillium funiculosum等のPenicillium属、Rhizopus oryzae等のRhizopus属、Fusarium属、Alternaria属、Tyromyces属、Coriolus属、Myrothecium属、Mucor属、Epicoccuｍ属、Trichoderma属、Phoma属、Geotrichum属、Monilia属等の糸状菌；Saccharomyces属などの酵母；Bacillus属、Escherichia属、Pseudomonas属などの細菌。
【実施例】
【００２４】
以下、製造例、実施例等により本発明をさらに詳しく説明するが、本発明はこれらの例に限定されるものではない。
【００２５】
まず、本発明の消臭組成物について、製造例を示す。
製造例１
４−ヒドロキシ−６−メチル−３−（４−メチルペンタノイル）−２−ピロン  １０部、ソルビトール  ９０部、及び３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  １０部を十分に混合して本発明の消臭組成物を得る。
【００２６】
製造例２
４−ヒドロキシ−６−メチル−３−（４−メチルペンタノイル）−２−ピロン  １０部、ソルビトール  ９０部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ５部、及びメタクリル酸ラウリル５部を十分に混合して本発明の消臭組成物を得る。
【００２７】
製造例３
４−ヒドロキシ−６−メチル−３−（４−メチルペンタノイル）−２−ピロン  １０部、ソルビトール  ８５部、及び６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ５部を十分に混合して本発明の消臭組成物を得る。
【００２８】
製造例４
４−ヒドロキシ−６−メチル−３−（４−メチルペンタノイル）−２−ピロン  １０部、ソルビトール  ８６部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、及びメタクリル酸ラウリル  ２部を十分に混合して本発明の消臭組成物を得る。
【００２９】
製造例５
４−ヒドロキシ−６−メチル−３−（４−メチルペンタノイル）−２−ピロン  １０部、ソルビトール  ８６部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、及びメタクリル酸ラウリル  ２部を十分に混合して本発明の消臭組成物を得る。
【００３０】
製造例６
４−ヒドロキシ−６−メチル−３−（４−メチルペンタノイル）−２−ピロン  ９部、ソルビトール  ８１部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、メタクリル酸ラウリル  ２部、及びヒノキ精油  ６部を十分に混合して本発明の消臭組成物を得る。
【００３１】
製造例７
４−ヒドロキシ−６−メチル−３−（４−メチルペンタノイル）−２−ピロン  ９部、ソルビトール  ８１部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、メタクリル酸ラウリル  ２部、及びミント精油  ６部を十分に混合して本発明の消臭組成物を得る。
【００３２】
製造例８
４−ヒドロキシ−６−メチル−３−（４−メチルペンタノイル）−２−ピロン  １０部、キシリトール  ８８部、及び３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部を十分に混合して本発明の消臭組成物を得る。
【００３３】
製造例９
４−ヒドロキシ−６−メチル−３−（４−メチルペンタノイル）−２−ピロン  １０部、キシリトール  ８６部、及び６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ４部を十分に混合して本発明の消臭組成物を得る。
【００３４】
製造例１０
４−ヒドロキシ−６−メチル−３−（４−メチルペンタノイル）−２−ピロン  １０部、キシリトール  ８６部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、及びメタクリル酸ラウリル  ２部を十分に混合して本発明の消臭組成物を得る。
【００３５】
製造例１１
４−ヒドロキシ−６−メチル−３−（４−メチルペンタノイル）−２−ピロン  １０部、キシリトール  ８６部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、及びメタクリル酸ラウリル  ２部を十分に混合して本発明の消臭組成物を得る。
【００３６】
製造例１２
４−ヒドロキシ−６−メチル−３−（４−メチルペンタノイル）−２−ピロン  ９部、キシリトール  ８１部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、メタクリル酸ラウリル  ２部、及びヒノキ精油  ６部を十分に混合して本発明の消臭組成物を得る。
【００３７】
製造例１３
４−ヒドロキシ−６−メチル−３−（４−メチルペンタノイル）−２−ピロン  ９部、キシリトール  ８１部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、メタクリル酸ラウリル  ２部、及びラベンダー精油  ６部を十分に混合して本発明の消臭組成物を得る。
【００３８】
製造例１４
４−ヒドロキシ−６−メチル−３−（４−メチルペンタノイル）−２−ピロン  １０部、マンニトール  ８６部、及び３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ４部を十分に混合して本発明の消臭組成物を得る。
【００３９】
製造例１５
４−ヒドロキシ−６−メチル−３−（４−メチルペンタノイル）−２−ピロン  １０部、マンニトール  ８６部、及び６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ４部を十分に混合して本発明の消臭組成物を得る。
【００４０】
製造例１６
４−ヒドロキシ−６−メチル−３−（４−メチルペンタノイル）−２−ピロン  １０部、マンニトール  ８６部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、及びメタクリル酸ラウリル  ２部を十分に混合して本発明の消臭組成物を得る。
【００４１】
製造例１７
４−ヒドロキシ−６−メチル−３−（４−メチルペンタノイル）−２−ピロン  １０部、マンニトール  ８６部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、及びメタクリル酸ラウリル  ２部を十分に混合して本発明の消臭組成物を得る。
【００４２】
製造例１８
４−ヒドロキシ−６−メチル−３−（４−メチルペンタノイル）−２−ピロン  １０部、マンニトール  ８６部、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ２部、メタクリル酸ラウリル  ２部、及びヒノキ精油  ６部を十分に混合して本発明の消臭組成物を得る。
【００４３】
製造例１９
４−ヒドロキシ−６−メチル−３−（４−メチルペンタノイル）−２−ピロン  １０部、マンニトール  ９０部、６−［３−（３−ｔｅｒｔ−ブチル−４−ヒドロキシ−５−メチル）−プロポキシ］−２,４,８,１０‐テトラ−ｔｅｒｔ−ブチルベンズ［ｄ,ｆ］［１，３，２］−ジオキサホスフェピン  ２部、メタクリル酸ラウリル  ２部、及びレモングラス精油  ６部を十分に混合して本発明の消臭組成物を得る。
【００４４】
製造例２０
４−ヒドロキシ−６−メチル−３−（４−メチルペンタノイル）−２−ピロン  ０．５ｇ、ソルビトール  ３．０ｇ、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ０．１ｇ、及びメタクリル酸ラウリル  ０．１ｇを十分に混合して本発明の消臭組成物を得た。
【００４５】
製造例２１
４−ヒドロキシ−６−メチル−３−（４−メチルペンタノイル）−２−ピロン  ０．５ｇ、ソルビトール  ４．０ｇ、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ０．１ｇ、及びメタクリル酸ラウリル  ０．１ｇを十分に混合して本発明の消臭組成物を得た。
【００４６】
製造例２２
４−ヒドロキシ−６−メチル−３−（４−メチルペンタノイル）−２−ピロン  ０．５ｇ、ソルビトール  ５．０ｇ、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ０．１ｇ、及びメタクリル酸ラウリル  ０．１ｇを十分に混合して本発明の消臭組成物を得た。
【００４７】
製造例２３
４−ヒドロキシ−６−メチル−３−（４−メチルペンタノイル）−２−ピロン  ０．５ｇ、ソルビトール  ５．０ｇ、３，９−ビス[１，１−ジメチル−２−｛β−（３−ｔｅｒｔ−ブチル−４−ヒドロキシ−５−メチルフェニル）−プロピオニオロキシ｝エチル]−２，４，８，１０−テトラオキザスピロ[５，５]ウンデカン  ０．１ｇ、メタクリル酸ラウリル  ０．１ｇ、及びヒノキ精油０．１ｇを十分に混合して本発明の消臭組成物を得た。
【００４８】
製造例２４
４−ヒドロキシ−６−メチル−３−（４−メチルペンタノイル）−２−ピロン  ０．５ｇ、及びソルビトール  ５．０ｇを十分に混合して本発明の消臭組成物を得た。
【００４９】
参考製造例１
ベントナイト５．０ｇに４−ヒドロキシ−６−メチル−３−（４−メチルペンタノイル）−２−ピロンの１０重量％エタノール溶液１０ｇを混合し、風乾して、比較用消臭組成物を得た。
【００５０】
次に、本発明の消臭方法による消臭効果を試験例により示す。
試験例
製造例２４の製造法により製造した本発明の消臭組成物５．５ｇを図１で示される容器４の上部に入れ、容器４の下部には１〜２０メッシュの酸化カルシウム６０ｇを入れ、底面は透水性の不織布で覆って試験用消臭装置を作成した。
一方、５．８ｍ3（１．８ｍ×１．８ｍ×１．８ｍ）の室内中央の床に、０．１％アンモニア水２ｍｌを入れた直径７ｃｍのシャーレと、タバコ臭をつけたウール布（２０ｃｍ×２０ｃｍ）を置き、室内の空気を扇風機で撹拌しながら２時間放置した。その後シャーレを取り出してから室内のアンモニア濃度をガステック社検知管Ｎｏ．３Ｌａで測定すると２５ｐｐｍであった。
該室内からアンモニア水入りのシャーレを取り除き、代わりに１％塩化ベンゼトニウム水溶液２５ｍｌを入れた容器２を置き、この中に前記試験用消臭装置４を入れた。水と酸化カルシウムとの反応熱により容器４の内部は２３０℃まで加熱された。
２０分後、室内のアンモニア濃度をガステック社検知管Ｎｏ．３Ｌａで測定すると２ｐｐｍであった。
さらに、１０分間換気してから、室内に置いていたウール布を取り出して臭気を嗅いだところ、タバコ臭は感じられなかった。
【００５１】
比較試験例
参考製造例の製造法により製造した比較用消臭組成物５．５ｇを図１で示される容器４の上部に入れ、容器４の下部には１〜２０メッシュの酸化カルシウム６０ｇを入れ、底面は透水性の不織布で覆って試験用消臭装置を作成した。
一方、５．８ｍ3（１．８ｍ×１．８ｍ×１．８ｍ）の室内中央の床に、０．１％アンモニア水２ｍｌを入れた直径７ｃｍのシャーレと、タバコ臭をつけたウール布（２０ｃｍ×２０ｃｍ）を置き、室内の空気を扇風機で撹拌しながら２時間放置した。その後シャーレを取り出してから室内のアンモニア濃度をガステック社検知管Ｎｏ．３Ｌａで測定すると２５ｐｐｍであった。
該室内からアンモニア水入りのシャーレを取り除き、代わりに１％塩化ベンゼトニウム水溶液２５ｍｌを入れた容器２を置き、この中に前記試験用消臭装置４を入れた。水と酸化カルシウムとの反応熱により容器４の内部は２２０℃まで加熱された。
２０分後、室内のアンモニア濃度をガステック社検知管Ｎｏ．３Ｌａで測定すると２２ｐｐｍであった。
さらに、１０分間換気してから、室内に置いていたウール布を取り出して臭気を嗅いだところ、タバコ臭がやや残存していた。
【００５２】
参考例
５．８ｍ3（１．８ｍ×１．８ｍ×１．８ｍ）の室内の４隅の床面、高さ９０ｃｍの壁面、天井に直径７ｃｍの濾紙を計１２枚設置しておき、製造例２２で製造した消臭組成物５．７ｇを図１に示す装置を用いて加熱蒸散させた（加熱温度２４０℃）。加熱蒸散を開始してから２０分経過後から１０分間室内を換気し、その後、濾紙を回収した。この濾紙を寒天培地上に載せ供試菌の胞子懸濁液を接種した。これを２７℃で１０日間放置した後、濾紙上に繁殖した各供試菌の生育状況を観察した。
また、対象として無処理の濾紙を同様に寒天培地上に載せ供試菌の胞子懸濁液を接種し、２７℃で１０日間放置した後、濾紙上に繁殖した各供試菌の生育状況を観察した。
結果を表１に示す。
【００５３】
【表１】
2005103239.tif 000004
【００５４】
◎：供試菌の生育が全くなし。
○：接種部位付近のみに僅かに供試菌の生育している。
△：供試菌の生育が多い。
×：供試菌が著しく生育している。
【００５５】
ＡＰ：Aureobasidium pullulans
ＣｌｃCladosporium cladosporioides
Ｐｆ：Penicillium funiclosum
【産業上の利用可能性】
【００５６】
本発明の消臭方法により、効果的な消臭が可能となる。
【図面の簡単な説明】
【００５７】
【図１】本発明の消臭方法に用いられる装置の一形態を示す断面図である。
【符号の説明】
【００５８】
１・・消臭組成物
２・・水を入れる容器
３・・酸化カルシウム
４・・消臭組成物を収納するための容器
【図１】
2005103239.tif 000006